(57)【要約】【課題】本発明は陸上又はいかだ上で海藻２の胞子を基材１に付着又は種苗した後、これを藻場育成希望地に投入して藻場を造成し、藻場の造成及び魚類の生育環境拡大を計ることを目的とする。【解決手段】表面の粗い無機系基材１又は多孔質セラミック基材１’に海藻２の胞子２’を陸上又はいかだ上で付着させて、しばらく生育させ、その後これを海中に直接散布、又はしばらく育成した後散布し、海中で海藻２を生育させる藻場造成方法である。【選択図】  図１
2004357613.tif 000002
【特許請求の範囲】
【請求項１】
表面の粗い無機系基材又は多孔質セラミック基材に海藻の胞子を付着させ、その後、これを海中に直接散布し、海中で海藻を生育させることを特徴とする藻場造成法。
【請求項２】
上記基材に付着した胞子を陸上、水槽などでしばらく生育させた後、海中に投入する請求項１記載の藻場造成法。
【請求項３】
単年藻と多年藻をそれぞれ別個の上記基材に付着又は育苗しこれらを混合して散布する請求項１又は２記載の藻場造成法。
【請求項４】
上記無機系基材が砕石又はコンクリート粒であり、多孔質セラミック基材が有機粉粒を混合したセラミック粉粒を焼成し有機粉粒を多孔部とした基材又は胞子が付着しやすいように表面に凹凸の多いセラミック基材である請求項１〜３のいずれかに記載した藻場造成物。
【請求項５】
上記基材の表面にＦｅ分を含んでいる請求項４記載の藻場造成物。
【発明の詳細な説明】
【０００１】
【発明の属する技術分野】
本発明は人工藻場の造成法及び造成物に関するものである。
【０００２】
【従来の技術】
テトラポット等の大型構造物による藻場造成法は、コスト高であるため一度に１００〜２５０個程度しか投入することができず、広範囲を大規模に造成することが困難で、ウニ、アワビ、魚による食害が避けられなかった。
【０００３】
育苗ポット方式ではダイバーが潜って植えるため、個数を多くできない。そのため、魚に食われて全滅などが起りうる。
【０００４】
一方、食害のプラスチック、ゴム等によるフイルム又は人造藻の投入による藻場の造成は劣化又は硬化すると礎石（基材）から分離し浮遊ごみとなり海を広範囲に汚染するという問題があった（例えば特許文献１）。
【０００５】
又ポーラス状成形品による胞子活着基材を成形する装置が開発されたが、有機系接着剤は経年劣化が生じること及び表面を平滑にしてしまい、胞子の付着が困難になるという問題があった（例えば特許文献２）。
【０００６】
【特許文献１】
特開２０００−１３９２６９号公報
【特許文献２】
特開平７−２２７１７２号公報
【０００７】
【発明が解決しようとする課題】
従来方式では次のような問題点がある。
【０００８】
テトラポット型方式
藻場が自然に形成されるのを待つタイプであり、重量物であるため台風による被害はないがコスト高なため、広い面積に施工できない。
【０００９】
育苗ポット方式
積極的に藻場を作るタイプであるが、植えるのに労力と時間がかかり、広い面積に施工できない。
【００１０】
胞子散布方式
コスト安であるが藻場が造成されたかわからない。また、胞子の定着と生育を自然まかせにするため、効率がはなはだ低い。
【００１１】
糸又はロープ方式
コスト安であるが放置はできない。固定する杭などが必要となる。一定期間経過後は、再び回収の必要性がある。
【００１２】
【課題を解決するための手段】
上記の目的を達成するため本発明は
第１に表面の粗い無機系基材又は多孔質セラミック基材に海藻の胞子を付着させ、その後、これを海中に直接散布し、海中で海藻を生育させることを特徴とする藻場造成法、
第２に上記基材に付着した胞子を陸上、水槽などでしばらく生育させた後、海中に投入する上記第１発明記載の藻場造成法、
第３に単年藻と多年藻をそれぞれ別個の上記基材に付着又は育苗しこれらを混合して散布する上記第１又は第２発明記載の藻場造成法、
第４に上記無機系基材が砕石又はコンクリート粒であり、多孔質セラミック基材が有機粉粒を混合したセラミック粉粒を焼成し有機粉粒を多孔部とした基材又は胞子が付着しやすいように表面に凹凸の多いセラミック基材である上記第１〜第３発明のいずれかに記載した藻場造成物、
第５に上記基材の表面にＦｅ分を含んでいる上記第４発明記載の藻場造成物、
によって構成される。
【００１３】
【発明の実施の形態】
図４に示すようにバケツ３内に、長さ、幅約１０ｍｍ〜２０ｍｍ程度の赤煉瓦の砕石（無機系基材１）を収容し、現在、藻場に生えているワカメ、昆布、ヒジキ、クロメ、アラメ等の海藻２を海水中で刺激することによって胞子等２’を発生させ、上記各砕石（上記基材１）の粗面小凹部１”に該胞子２’を付着（活着）又は育苗２”させる。
【００１４】
赤煉瓦の砕石（上記基材１）の表面は粗面であるが、表面の粗い無機系基材１（例えば一般の砕石粒やコンクリート粒）又は多孔質セラミック基材１’（図３）であって該セラミック基材１’は有機粉粒を混合したセラミック粉粒（例えば陶石）を焼成し有機粉粒を多孔部（連通気孔である必要はない）とした基材１’（図３）であれば足りる。
【００１５】
上記基材１，１’の表面（粗面）は上記赤色煉瓦破砕粒（含Ｆｅ）や、セメント表面にＦｅを含んだコンクリート施工又はペンキ塗布粗面粒とすることができる。
【００１６】
無機系基材１とは、セラミック焼結体、ガラス、コンクリート、粘土類の焼結体、鉱物又はこれらの素材を無機系バインダーで固着させたものであれば足りる。
【００１７】
上記特許文献２では砂利を樹脂系接着剤で固めたものがあるが、本発明では下記の基材が用いられる。
１．表面の粗いセラミックス（例：植木鉢の破片のようなもの）
２．表面の粗い岩石（例：表面の粗い砂岩）
３．表面の粗い小石粒をコンクリートで接合した物
４．表面の粗いコンクリート
５．表面の粗いガラス
表面の粗い上記基材１を用いるのは、胞子２’の成長段階で根を固着させるためである。
【００１８】
本発明では陸上又はいかだ上で海藻２の胞子等２’を付着（活着ともいう）させた表面の粗い基材１，１’（径約１０〜２０ｍｍ程度）を図１に示すように稲の苗床のように浅い函状床５内に育成し、これらを直接海中に投入するか、又は海流の速い海域では、該基材１，１’又は図２（イ）図に示すようにピラミッド状コンクリート４上に接着し、又は（ロ）図に示すように砕石４’（自然石）上に接着し、
上記基材１又は１’を海面から藻場に投げ込むことによって藻場を迅速簡便に造成することができる。
【００１９】
又投げ込みに際し単年藻（ホンダワラ、ワカメ、昆布）と多年藻（クロメ、アラメ）の二種類を混合して投げ込むことにより、食害にあいやすい単年藻の成長の陰で、多年藻が徐々に成長してくれるため藻場の寿命を長く保持することができる。
【００２０】
又上記胞子２’は基材１の表面（粗面）がＦｅ分系の場合に生育が良好であることは知られている。
【００２１】
魚類による食害を避けるには、規模、施工面積を大きくするしかないが本発明の投げ込み式では、コストが安いので１０，０００個も可能と考える。また、数ヶ月後、翌年に追加することも可能である。
【００２２】
本発明では投げ込むだけなので、遥かに多数を植えることができる。
【００２３】
単年藻をおとりとすることができる。即ち単年藻（成長が早い）と多年藻の二種類を混合して散布する。単年藻の成長の陰で、多年藻が徐々に成長し、藻場が形成される。単年藻は、ホンダワラ、ワカメ、昆布。多年藻は、クロメ、アラメ等である。
【００２４】
基材（図２（イ）（ロ）図）に接合した場合、ウニ、アワビが登りにくい形にすることで食害を避けられるし、投入量を増やすことも避けることができる。又、基材に接合して投入することも可能である。
【００２５】
以上要するに
１．大きなコンクリート板や、大型構造物を用いる方法では、陸上で多数の苗を育てることはできない。
２．テトラポット型の巨大なコンクリート構造物では、藻が生えるのを自然に待つ、消極的な方法なので、藻の生え始めに食害に会う。また、巨大構造物はコストがかかりすぎるため、大面積の藻場造成は困難。
３．コンクリート構造物に藻が生えやすいコンクリート板を張る、鉄板を張る手法では、コストが上がるため、大面積の藻場造成は困難。
４．プラスチック製やゴム製の人工の藻による藻場造成では、時間が経つとやがてゴミになる。本発明では、自然石に近い又はそれを用いるため、ゴミにはならない。
５．本発明はコストが安いため年に数回の散布が可能。また、数年間続けて散布することが可能。その場合、自然石に近いので景観を損ねない。環境を破壊しない。他の手法では人工物を用いるため毎年毎年散布すると、景観を損ねる。海中にゴミの山ができる。
６．糸・ロープを用いる方法では、糸・ロープを固定するための支柱等が必要。糸・ロープの回収が必要。流された場合はゴミになる。糸・ロープには藻は生えるが、基本的に海底に生えるものではない。
【００２６】
【発明の効果】
本発明は上述のように構成したので
低コストな投げ込み施工であるため従来法よりも広範囲に多量に散布可能。このため、藻場造成の一つの難関である食害の回避が可能であり、
無害な材料を用いているので、回収の必要は無く、景観を損ねない広大な藻場を造成し、かつ成長性のよい種苗方式（しばらくの期間、陸上養殖をする方式）であるため藻場造成が早いという効果がある。
【００２７】
又次の効果がある。
単年藻が成長が早いので植えるのは単年藻と多年藻の二種類を混合して散布する。単年藻の成長の陰で、多年藻が徐々に成長してくれる。単年藻は、ホンダワラ、ワカメ、昆布。多年藻は、クロメ、アラメ。
【００２８】
尚、図１中５’は苗床箱、図２（イ）図中４”はウニ、アワビ食害防止用直立筒である。
【図面の簡単な説明】
【図１】種苗箱内に配置した胞子付着基材でいわゆる陸上苗床状海藻種苗を示す斜視図である。
【図２】（イ）図はピラミッド状重錘上に種苗基材を設けた状態の斜視図である。
（ロ）図は上記種苗基材を自然石上に接着させた状態の斜視図である。
【図３】多孔質セラミックを示す斜視図である。
【図４】バケツ内で基材に胞子を付着させている状態を示す斜視図である。
【符号の説明】
１      表面の粗い無機系基材
１’    多孔質セラミック基材
２      海藻
２’    胞子
２”    育苗
【図１】
2004357613.tif 000003
【図２】
2004357613.tif 000004
【図３】
2004357613.tif 000005
【図４】
2004357613.tif 000006